【手続補正書】
【提出日】平成15年6月30日(2003.6.30)
【手続補正１】
【補正対象書類名】明細書
【補正対象項目名】発明の名称
【補正方法】変更
【補正の内容】
【発明の名称】インターフェース装置、インターフェース方法およびコンピュータシステム
【手続補正２】
【補正対象書類名】明細書
【補正対象項目名】特許請求の範囲
【補正方法】変更
【補正の内容】
【特許請求の範囲】
【請求項１】
ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを有するインターフェース装置であって、
前記周辺装置の情報を要求するマネジャーからの情報要求に応じて処理要求を発生する手段と、
前記処理要求が装置属性またはローカル属性のいずれに対するものであるかを判定する手段と、
前記処理要求が前記装置属性に対するものである場合、前記周辺装置に情報信号を要求する要求信号を前記周辺装置に送る手段と、
前記周辺装置からの情報信号に応じて該情報信号に応答するデータを発生する手段と、
前記周辺装置の情報を要求したマネジャーと同じ管理プロトコールにより作動する前記複数のエイジェントの１つに、前記発生されたデータを送る手段とを有することを特徴とするインターフェース装置。
【請求項２】
前記情報信号は前記周辺装置のステータス信号、または前記周辺装置属性信号であることを特徴とする請求項１記載のインターフェース装置。
【請求項３】
前記複数のエイジェントはＳＮＭＰ管理プロトコールにより作動するエイジェント、またはＣＭＩＰ管理プロトコールにより作動するエイジェントを含むことを特徴とする請求項１または２記載のインターフェース装置。
【請求項４】
前記マネジャーからの情報要求にエラーが検出されると、適切なエラーコードがセットされたエラーデータパケットを前記ネットワークを介して前記マネジャーに送信するエラー送信手段を有することを特徴とする請求項１ないし３のいずれか１つに記載のインターフェース装置。
【請求項５】
前記処理要求が前記ローカル属性に対するものである場合、セット要求または取り込み要求が前記インターフェース装置内のローカルキャッシュに対して発生されることを特徴とする請求項１ないし４のいずれか１つに記載のインタ−フェース装置。
【請求項６】
前記処理要求が前記ローカル属性に対するものである場合、前記エイジェントが要求データを含むパケットデータユニットを形成し、該パケットデータユニットを前記マネジャーに送ることを特徴とする請求項１ないし５のいずれか１つに記載のインターフェース装置。
【請求項７】
ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを前記周辺装置にインターフェースするインターフェース方法であって、
前記周辺装置の情報を要求するマネジャーからの情報要求に応じて処理要求を発生するステップと、
前記処理要求が装置属性またはローカル属性のいずれに対するものであるかを判定するステップと、
前記処理要求が前記装置属性に対するものである場合、前記周辺装置の情報を要求する要求信号を前記周辺装置に送るステップと、
前記周辺装置から情報信号を受け取るステップと、
前記周辺装置からの情報信号に対応するデータを発生するステップと、
前記周辺装置の情報を要求したマネジャーの管理プロトコールと同じ管理プロトコールにより作動する前記複数のエイジェントの１つに、前記発生されたデータを送るステップとを有することを特徴とするインターフェース方法。
【請求項８】
前記情報信号は前記周辺装置ステータス信号、または前記周辺装置属性信号であることを特徴とする請求項７記載のインターフェース方法。
【請求項９】
前記マネジャーからの情報要求にエラーが検出されると、適切なエラーコードがセットされたエラーデータパケットを前記ネットワークを介して前記マネジャーに送信するステップを有することを特徴とする請求項７または８記載のインターフェース方法。
【請求項１０】
前記処理要求が前記ローカル属性に対するものである場合、セット要求または取り込み要求を前記インターフェース装置内のローカルキャッシュに対して発生するステップを有することを特徴とする請求項７ないし９のいずれか１つに記載のインタ−フェース方法。
【請求項１１】
前記処理要求が前記ローカル属性に対するものである場合、前記エイジェントが要求データを含むパケットデータユニットを形成するステップと、
前記パケットデータユニットを前記マネジャーに送るステップとを有することを特徴とする請求項７ないし１０のいずれか１つに記載のインターフェース方法。
【請求項１２】
ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを有するインターフェース装置であって、
前記周辺装置から該周辺装置で発生した所定のイベントに対応する信号を受け取る手段と、
前記周辺装置から受け取った信号に応じて該周辺装置で発生したイベントに対応するデータを発生する手段と、
前記マネジャーと管理情報を交換するエイジェントであって該マネジャーと同じ管理プロトコールにより作動する前記複数のエイジェントに前記イベントに対応するデータを送る手段とを備えたインターフェース装置を有することを特徴とするコンピュータシステム。
【請求項１３】
前記複数のエイジェントはＳＮＭＰ管理プロトコールにより作動するエイジェント、またはＣＭＩＰ管理プロトコールにより作動するエイジェントを含むことを特徴とする請求項１２記載のコンピュータシステム。
【請求項１４】
ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを前記周辺装置にインターフェースするインターフェース方法であって、
前記周辺装置から該周辺装置で発生した所定のイベントに対応する信号を受け取るステップと、
前記周辺装置から受け取った信号に応じて前記周辺装置で発生した所定のイベントに対応するデータを発生するステップと、
前記マネジャーと管理情報を交換するエイジェントであって該マネジャーと同じ管理プロトコールにより作動する前記複数のエイジェントに前記イベントに対応するデータを送るステップと
を備えることを特徴とするインターフェース方法。
【請求項１５】
ネットワークを介して互いに接続された、複数の管理プロトコールの所定の１つを使用して前記少なくとも１つの周辺装置を管理するマネジャーを含む処理モジュールと少なくとも１つの周辺装置とを有するコンピュータシステムにおいて、前記周辺装置を前記ネットワークにインターフェースするインターフェース装置であって、
前記複数のプロトコールの１つによりそれぞれ作動する複数のエイジェントと、
前記複数のエイジェントと前記周辺装置との間に接続され、前記周辺装置と信号を交換すると共に前記複数のエイジェントと情報を交換する交換手段と、
前記複数のエイジェントと前記交換手段とを順次起動する手段とを備え、
前記複数のエイジェントの１つが起動されて同じ管理プロトコールにより作動する前記マネジャーから情報要求を受け取ると、前記起動されたエイジェントは前記周辺装置からの情報信号を要求するための信号を発生し、
前記交換手段は起動時に前記周辺装置に前記要求信号を送り前記周辺装置から情報信号を受け取って該情報信号に対応するデータを発生し、
前記複数のエイジェントの１つは再起動時に前記交換手段により発生されたデータを受け取り前記マネジャーの管理プロトコールと同じ管理プロトコールにより応答メッセージを作成することを特徴とするインターフェース装置。
【手続補正３】
【補正対象書類名】明細書
【補正対象項目名】０００１
【補正方法】変更
【補正の内容】
【０００１】
【発明の属する技術分野】
本発明は、ネットワークを介して互いに接続された複数の処理モジュールと少なくとも１つの周辺装置を有するコンピュータシステムにおけるインターフェース装置、インターフェース方法およびコンピュータシステムに関し、特に処理モジュールのアプリケーションによって管理されるエイジェントと周辺装置間のインターフェースに関する。


【手続補正４】
【補正対象書類名】明細書
【補正対象項目名】０００８
【補正方法】変更
【補正の内容】
【０００８】
本発明は、上記課題を解決するため、要求されたプロトコールを介して処理モジュールと周辺装置間で管理情報を交換することができるインターフェース装置、インターフェース方法およびコンピュータシステムを提供することを目的とする。


【手続補正５】
【補正対象書類名】明細書
【補正対象項目名】０００９
【補正方法】変更
【補正の内容】
【０００９】
【課題を解決するための手段】
請求項１記載の発明は、ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを有するインターフェース装置であって、前記周辺装置の情報を要求するマネジャーからの情報要求に応じて処理要求を発生する手段と、前記処理要求が装置属性またはローカル属性のいずれに対するものであるかを判定する手段と、前記処理要求が前記装置属性に対するものである場合、前記周辺装置に情報信号を要求する要求信号を前記周辺装置に送る手段と、前記周辺装置からの情報信号に応じて該情報信号に応答するデータを発生する手段と、前記周辺装置の情報を要求したマネジャーと同じ管理プロトコールにより作動する前記複数のエイジェントの１つに、前記発生されたデータを送る手段とを有することを特徴とする。


【手続補正６】
【補正対象書類名】明細書
【補正対象項目名】００１０
【補正方法】変更
【補正の内容】
【００１０】
請求項２記載の発明は、請求項１記載のインターフェース装置において、前記情報信号は前記周辺装置のステータス信号、または前記周辺装置属性信号であることを特徴とする。


【手続補正７】
【補正対象書類名】明細書
【補正対象項目名】００１１
【補正方法】変更
【補正の内容】
【００１１】
請求項３記載の発明は、請求項１または２記載のインターフェース装置において、前記複数のエイジェントはＳＮＭＰ管理プロトコールにより作動するエイジェント、またはＣＭＩＰ管理プロトコールにより作動するエイジェントを含むことを特徴とする。


【手続補正８】
【補正対象書類名】明細書
【補正対象項目名】００１２
【補正方法】変更
【補正の内容】
【００１２】
請求項４記載の発明は、請求項１ないし３のいずれか１つに記載のインターフェース装置において、前記マネジャーからの情報要求にエラーが検出されると、適切なエラーコードがセットされたエラーデータパケットを前記ネットワークを介して前記マネジャーに送信するエラー送信手段を有することを特徴とする。


【手続補正９】
【補正対象書類名】明細書
【補正対象項目名】００１３
【補正方法】変更
【補正の内容】
【００１３】
請求項５記載の発明は、請求項１ないし４のいずれか１つに記載のインタ−フェース装置において、前記処理要求が前記ローカル属性に対するものである場合、セット要求または取り込み要求が前記インターフェース装置内のローカルキャッシュに対して発生されることを特徴とする。


【手続補正１０】
【補正対象書類名】明細書
【補正対象項目名】００１４
【補正方法】変更
【補正の内容】
【００１４】
請求項６記載の発明は、請求項１ないし５のいずれか１つに記載のインターフェース装置において、前記処理要求が前記ローカル属性に対するものである場合、前記エイジェントが要求データを含むパケットデータユニットを形成し、該パケットデータユニットを前記マネジャーに送ることを特徴とする。
【手続補正１１】
【補正対象書類名】明細書
【補正対象項目名】００１５
【補正方法】変更
【補正の内容】
【００１５】
請求項７記載の発明は、ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを前記周辺装置にインターフェースするインターフェース方法であって、前記周辺装置の情報を要求するマネジャーからの情報要求に応じて処理要求を発生するステップと、前記処理要求が装置属性またはローカル属性のいずれに対するものであるかを判定するステップと、前記処理要求が前記装置属性に対するものである場合、前記周辺装置の情報を要求する要求信号を前記周辺装置に送るステップと、前記周辺装置から情報信号を受け取るステップと、前記周辺装置からの情報信号に対応するデータを発生するステップと、前記周辺装置の情報を要求したマネジャーの管理プロトコールと同じ管理プロトコールにより作動する前記複数のエイジェントの１つに、前記発生されたデータを送るステップとを有することを特徴とする。
【手続補正１２】
【補正対象書類名】明細書
【補正対象項目名】００１６
【補正方法】変更
【補正の内容】
【００１６】
請求項８記載の発明は、請求項７記載のインターフェース方法において、前記情報信号は前記周辺装置ステータス信号、または前記周辺装置属性信号であることを特徴とする。


【手続補正１３】
【補正対象書類名】明細書
【補正対象項目名】００１７
【補正方法】変更
【補正の内容】
【００１７】
請求項９記載の発明は、請求項７または８記載のインターフェース方法において、前記マネジャーからの情報要求にエラーが検出されると、適切なエラーコードがセットされたエラーデータパケットを前記ネットワークを介して前記マネジャーに送信するステップを有することを特徴とする。


【手続補正１４】
【補正対象書類名】明細書
【補正対象項目名】００１８
【補正方法】変更
【補正の内容】
【００１８】
請求項１０記載の発明は、請求項７ないし９のいずれか１つに記載のインタ−フェース方法において、前記処理要求が前記ローカル属性に対するものである場合、セット要求または取り込み要求を前記インターフェース装置内のローカルキャッシュに対して発生するステップを有することを特徴とする。


【手続補正１５】
【補正対象書類名】明細書
【補正対象項目名】００１９
【補正方法】変更
【補正の内容】
【００１９】
請求項１１記載の発明は、請求項７ないし１０のいずれか１つに記載のインターフェース方法において、前記処理要求が前記ローカル属性に対するものである場合、前記エイジェントが要求データを含むパケットデータユニットを形成するステップと、前記パケットデータユニットを前記マネジャーに送るステップとを有することを特徴とする。


【手続補正１６】
【補正対象書類名】明細書
【補正対象項目名】００２０
【補正方法】変更
【補正の内容】
【００２０】
請求項１２記載の発明は、ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを有するインターフェース装置であって、前記周辺装置から該周辺装置で発生した所定のイベントに対応する信号を受け取る手段と、前記周辺装置から受け取った信号に応じて該周辺装置で発生したイベントに対応するデータを発生する手段と、前記マネジャーと管理情報を交換するエイジェントであって該マネジャーと同じ管理プロトコールにより作動する前記複数のエイジェントに前記イベントに対応するデータを送る手段とを備えたインターフェース装置を有することを特徴とする。


【手続補正１７】
【補正対象書類名】明細書
【補正対象項目名】００２１
【補正方法】変更
【補正の内容】
【００２１】
請求項１３記載の発明は、請求項１２記載のコンピュータシステムにおいて、前記複数のエイジェントはＳＮＭＰ管理プロトコールにより作動するエイジェント、またはＣＭＩＰ管理プロトコールにより作動するエイジェントを含むことを特徴とする。


【手続補正１８】
【補正対象書類名】明細書
【補正対象項目名】００２２
【補正方法】変更
【補正の内容】
【００２２】
請求項１４記載の発明は、ネットワークを介して互いに接続された、複数の管理プロトコールの所定の１つを使用して少なくとも１つの周辺装置を管理するマネジャーを含む処理モジュールと少なくとも１つの周辺装置とを有するコンピュータシステムにおいて、前記ネットワーク上で前記マネジャーと管理情報を交換するために前記複数のプロトコールの１つをそれぞれ使用する複数のエイジェントを前記周辺装置にインターフェースするインターフェース方法であって、前記周辺装置から該周辺装置で発生した所定のイベントに対応する信号を受け取るステップと、前記周辺装置から受け取った信号に応じて前記周辺装置で発生した所定のイベントに対応するデータを発生するステップと、前記マネジャーと管理情報を交換するエイジェントであって該マネジャーと同じ管理プロトコールにより作動する前記複数のエイジェントに前記イベントに対応するデータを送るステップとを備えることを特徴とする。


【手続補正１９】
【補正対象書類名】明細書
【補正対象項目名】００２３
【補正方法】変更
【補正の内容】
【００２３】
請求項１５記載の発明は、ネットワークを介して互いに接続された、複数の管理プロトコールの所定の１つを使用して前記少なくとも１つの周辺装置を管理するマネジャーを含む処理モジュールと少なくとも１つの周辺装置とを有するコンピュータシステムにおいて、前記周辺装置を前記ネットワークにインターフェースするインターフェース装置であって、前記複数のプロトコールの１つによりそれぞれ作動する複数のエイジェントと、前記複数のエイジェントと前記周辺装置との間に接続され、前記周辺装置と信号を交換すると共に前記複数のエイジェントと情報を交換する交換手段と、前記複数のエイジェントと前記交換手段とを順次起動する手段とを備え、前記複数のエイジェントの１つが起動されて同じ管理プロトコールにより作動する前記マネジャーから情報要求を受け取ると、前記起動されたエイジェントは前記周辺装置からの情報信号を要求するための信号を発生し、前記交換手段は起動時に前記周辺装置に前記要求信号を送り前記周辺装置から情報信号を受け取って該情報信号に対応するデータを発生し、前記複数のエイジェントの１つは再起動時に前記交換手段により発生されたデータを受け取り前記マネジャーの管理プロトコールと同じ管理プロトコールにより応答メッセージを作成することを特徴とする。


【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００５５
【補正方法】変更
【補正の内容】
【００５５】
【発明の効果】
以上説明したように、本発明によれば、要求されたプロトコールを介して処理モジュールと周辺装置間で管理情報を交換することができる。


【手続補正２９】
【補正対象書類名】明細書
【補正対象項目名】００５６
【補正方法】削除
【補正の内容】
【手続補正３０】
【補正対象書類名】明細書
【補正対象項目名】００５７
【補正方法】削除
【補正の内容】
【手続補正３１】
【補正対象書類名】明細書
【補正対象項目名】００５８
【補正方法】削除
【補正の内容】
【手続補正３２】
【補正対象書類名】明細書
【補正対象項目名】００５９
【補正方法】削除
【補正の内容】
【手続補正３３】
【補正対象書類名】明細書
【補正対象項目名】００６０
【補正方法】削除
【補正の内容】
【手続補正３４】
【補正対象書類名】明細書
【補正対象項目名】００６１
【補正方法】削除
【補正の内容】